(57)【要約】【課題】美観を損なわない二重容器を提供する。【解決手段】　本発明の二重容器100は、合成樹脂からなる薄肉のレフィル容器110と、このレフィル容器110の口部111に取り付けられるエアレスポンプ120と、このポンプ120を取り付けたレフィル容器110が内部に収納保持される透明又は半透明な外装容器130と、ポンプ120を露出した状態で外装容器130の口部131に固定されるカバー140からなり、レフィル容器110の片側半分に、不透明、半透明又は透明なシート材Ｓを一体に設ける。【選択図】図２
2004106939.tif 000002
【特許請求の範囲】
【請求項１】
　容器の変形によって減容可能な薄肉容器と、この薄肉容器を内部に収納する透明又は半透明な外装容器とを備える二重容器であって、
　前記薄肉容器の片側半分に、不透明、半透明又は透明なシート材を一体に設けてなることを特徴とする二重容器。
【請求項２】
　前記シート部材は、その外側面に装飾を施したものである請求項１に記載の二重容器。
【請求項３】
　前記シート部材は、ラベルである請求項１または２に記載の二重容器。
【請求項４】
　前記外装容器は、その外側面に装飾を施したものである請求項１〜３の何れかに記載の二重容器。
【請求項５】
　前記外装容器及び薄肉容器はそれぞれポンプの取り付け可能な口部を有する請求項１〜４の何れかに記載の二重容器。
【発明の詳細な説明】
【技術分野】
【０００１】
　本発明は、容器の変形によって減容可能な薄肉容器と、この薄肉容器を内部に収納する透明又は半透明な外装容器とを備える二重容器に関するものである。
【背景技術】
【０００２】
　二重容器は、化粧水などの化粧料やシャンプーやリンスまたは液体石鹸などの内容物を外装容器に収納した内容器に充填し、この内容器の吐出口に取り付けたポンプを操作することにより内容器の内容物を吸引、加圧、排出する容器として用いられており、内容器として取り替えの自由なレフィル容器を用いることは既知である。
【０００３】
　こうしたレフィル容器は、一般的に薄肉の胴部を有し、エアレスポンプで容器の内容物を吸引したり、手で押し潰すなどすると、その胴部が陥没して減容化を図ることができる。
【０００４】
　しかしながら、こうした薄肉容器を二重容器の内容器と使用する場合、ポンプで薄肉容器の内容物を吸引するとその内部圧力が減少するため、薄肉容器に変形を伴うが、この変形が均等に行われないと薄肉容器の内容物が完全に排出できないという不都合があった。
【０００５】
　加えて、こうした従来の二重容器にあっては、薄肉容器の変形が外装容器を透して直接的に見えると、二重容器としての外観上の美観が損なわれかねないことが懸念された。
【発明の開示】
【発明が解決しようとする課題】
【０００６】
　本発明の解決すべき課題は、上述した事実認識に基づいてなされたものであって、外装容器の内部に収納された薄肉容器の減容化を図りつつ外観上の美観を損なうことのない二重容器を提供することにある。
【課題を解決するための手段】
【０００７】
　この課題を解決するため、本発明である請求項１に係る二重容器は容器の変形によって減容可能な薄肉内容器と、この内容器を収納する透明又は半透明な外装容器とを備える二重容器であって、内容器の片側半分に、不透明、半透明又は透明（色彩が付与されているものを含む）なシート材を一体に設けてなることを特徴とするものである。
【０００８】
　また請求項２に係る発明は、上記請求項１に記載の二重容器において、前記シート部材が、その外側面に装飾を施したものである。
【０００９】
　また請求項３に係る発明は、上記請求項１または２に記載の二重容器において、前記シート部材をラベルとしたものである。
【００１０】
　さらに請求項４に係る発明は、上記請求項１〜３の何れかに記載の二重容器において、前記外装容器が、その外側面に装飾を施したものであり、請求項５に係る発明は、前記外装容器及び薄肉容器がそれぞれポンプの取り付け可能な口部を有するものとする。
【発明の効果】
【００１１】
　本発明に係る二重容器にあっては、内容器の片側半分に不透明、半透明又は透明なシート材を設けて肉厚とすることから、内容器としての薄肉容器の変形はシート材の存在しない残り半分だけで発生するため、薄肉容器を効率的に変形させて減容化できる。
【００１２】
　二重容器をシート材が使用者の目に止まる表側になるように配置すれば、薄肉容器が透けて見えても容器の美観が損なわれることはない。
【００１３】
　また本発明にあっては、前記シート部材及び外装容器の少なくとも一方がその外側面に装飾や色彩を施したものであることが好ましい。この場合、装飾や色彩によって容器の美観をさらに向上させることができる。特に本発明にあっては、前記シート部材がラベルであることが好ましい。この場合、外観の美しい二重容器を簡単かつ安価に提供することができる。
【００１４】
　本発明においては、外装容器の装飾や色彩とシート部材の装飾や色彩とを組み合わせて外装容器を交換せずに内容器の変更のみで中身の異なるシーリズ製品の製造が可能となり、外装容器の有効利用を図ることができる。
【発明を実施するための最良の形態】
【００１５】
　以下、本発明の実施の形態を添付図面に基づき詳細に説明する。
【００１６】
　図１および図２はそれぞれ、本発明の一実施形態であるポンプ付き二重容器１００を示す斜視図および二重容器１００の分解斜視図である。また図３（ａ），（ｂ）はそれぞれ、後述するレフィル容器１１０の斜視図およびそのＡ−Ａ断面図である。
【００１７】
　二重容器１００は、図１，２に示す如く、運搬、保管および廃棄を考慮して陥没および復元可能な合成樹脂からなる薄肉のレフィル容器１１０と、このレフィル容器１１０の口部１１１に取り付けられるエアレスポンプ１２０と、このエアレスポンプ１２０を取り付けたレフィル容器１１０が内部に収納保持される合成樹脂製の透明又は半透明な外装容器１３０と、エアレスポンプ１２０を露出した状態で外装容器１３０の口部１３１に固定されるカバー１４０からなる。
【００１８】
　レフィル容器１１０は、図２に示す如く、その肩部１１２ａ付近に外装容器１３０に向かって張り出して外装容器１３０の口部端縁１３１ｅに設けた切り欠き部１３２にて保持される複数の突部１１３を備える。これにより、レフィル容器１１０は、外装容器１３０内に落下、回動することなく保持される。外装容器１３０とラベル（シート部材Ｓ）の装飾の方向合わせ行うため、切り欠き部１３２と突部１１３との関係以外にも適宜位置合わせ（方向合わせ）のための手段を採用することができる。
【００１９】
　エアレスポンプ１２０は、図２に示す如く、ポンプヘッド１２１の上下運動によってポンプ作用が惹起される定量ポンプであり、ポンプヘッド１２１を上下動させると、レフィル容器１１０の内容物が吸引、加圧されてポンプヘッド１２１に設けたノズル口１２１ａから吐出される。
【００２０】
　外装容器１３０は、図２に示す如く、その口部側面１３１ｆにカバー１４０の内側に設けた後述のガイド突起１４３に適合する複数のガイド溝１３３を有する。これらのガイド溝１３３は、外容器１３０の口部端縁１３１ｅから延在する縦溝１３３ａおよび該溝１３３ａにつながり口部１３１周りに延在する横溝１３３ｂからなるＬ字状のもの（所謂、バイヨネット結合）である。
【００２１】
　カバー１４０は、図２に示す如く、レフィル容器１１０に取り付けたエアレスポンプ１２０が開口１４１から露出した状態に配置されており、その内側には、内容器１１０に向かって張り出した内壁１４２および外装容器１３０の口部側面１３１ｆに向かって張り出した複数のガイド突起１４３が設けられている。
【００２２】
　これにより、二重容器１００は、レフィル容器１１０の突部１１３を外装容器１３０の切り欠き部１３２に適合させて内容器１１０を外装容器１３０の口部端縁１３１ｅにて保持したのち、カバー１４０のガイド突起１４３を外装容器１３０のガイド溝１３３に入れ込んでカバー１４０を外装容器１３０の口部１３１周りで回転させることにより、レフィル容器１１０を外装容器１３０に対して位置決め固定することができる。
【００２３】
　すなわち、レフィル容器１１０は、外装容器１３０に対する収納および取り出しの自由な詰め替え容器となる。
【００２４】
　なお外装容器１３０に設けたガイド溝１３３は、Ｌ字状のものに限らず、外装容器１３０の口部端縁１３１ｅから螺旋状に形成してなるもの、所謂、ねじ状のものであってもよいし、カバー１４０内側のガイド突起１４３をねじに置き換えてもよい。更には、外装容器１３０とカバー１４０との着脱をアンダーカット係合により着脱自在とすることができるが、この他、面タッチによる圧入を伴う嵌合により着脱自在とすることもでき、この点については限定されない。
【００２５】
　こうした二重容器１００において、レフィル容器１１０は、その胴部１１２ｂが陥没および復元可能な薄肉形状であって、図３（ａ）に示す如く、その片側半分に、不透明、半透明又は透明（有色のものを含む）なシート材Ｓが一体に設けられている。本実施形態のシート材Ｓは、図２に示す如く、商品名や効能または色彩や模様などの装飾が施されたラベルであって、レフィル容器１１０の外表面に貼り付けられている。
【００２６】
　この薄肉のレフィル容器１１０によれば、エアレスポンプ１２０によってレフィル容器１１０の内容物を排出すると、エアレスポンプ１２０で気密性が確保されたレフィル容器１１０の内部圧力が減少する。このため、レフィル容器１１０の胴部１１２ｂでは、図３の二点鎖線に示す如く、シート材Ｓの存在しない内容器１１０の片側半分がシート材Ｓの端縁Ｓeそれぞれを起点にほぼ均等にシート材Ｓを有する片側半分に向かって陥没する。
【００２７】
　即ち、二重容器１００にあっては、薄肉のレフィル容器１１０の片側半分に不透明、半透明又は透明なシート材Ｓを設けて肉厚とすることから、エアレスポンプ１２０を動作させたことによって生じるレフィル容器１１０の変形はシート材Ｓの存在しない残り半分だけで発生するため、レフィル容器１１０を効率的に変形させて減容化できる。しかも、二重容器１１０をシート材Ｓが使用者の目に止まる表側になるように配置すれば、外装容器１３０からは常にシート材Ｓによって表面形状の美しいレフィル容器１１０だけを透視することができる。
【００２８】
　従って本実施形態によれば、内容器１１０の片側半分にシート材Ｓを一体に設けることによって、外装容器１３０の内部に収納された薄肉のレフィル容器１１０の減容化を図りつつ外観上の美観を損なわない二重容器を提供することができる。
【００２９】
　なお本実施形態では、シート材Ｓを胴部１１２ｂに貼り付けたラベルで説明したが、シート材Ｓは、胴部１１２ｂに後工程にて貼り付けるタイプに限ることなく、予め金型内に配置されてレフィル容器１１０と一体に成形される所謂インモールドラベルであってもよい。
【００３０】
　また本実施形態にあっては、シート部材Ｓの外側面Ｓfに、商品名や効能または色彩や模様などの装飾を施している。この場合、シート部材Ｓに施した装飾によって外観上の美観をさらに向上させることができる。特に本実施形態にあっては、シート部材Ｓがラベルである。この場合、外観の美しい二重容器を簡単かつ安価に提供することができる。
【００３１】
　上述したところは、本発明の好適な実施形態を示したに過ぎず、当業者によれば、請求の範囲において、種々の変更を加えることができる。例えば、薄肉容器としてのレフィル容器１１０は、その内部圧力を高めることによって元の形状に復元できるものであるかどうは任意である。さらに薄肉容器としては、詰め替え可能なレフィル容器１１０に限らず外装容器１３０に取り外し不可能に収納された単なる減容容器であってもよい。
【００３２】
　従って本発明によれば、薄肉容器の片側半分にシート材を一体に設けることによって、透明又は半透明な外装容器の内部に収納された薄肉容器の減容化を図りつつ外観上の美観を損なわない二重容器を提供することができる。
【００３３】
　薄肉容器はアルミのフィルムを積層したパウチや合成樹脂のフィルムからなる袋状のものが使用でき、この点については限定されない。
【産業上の利用可能性】
【００３４】
　内容物の注出による薄肉容器の変形はシート材を除いた領域のみで起こり、該シート材を配置した部分を容器の前面とする限り容器の美観を損ねることはない。
【図面の簡単な説明】
【００３５】
【図１】本発明の一実施形態であるポンプ付き二重容器を示す斜視図である。
【図２】同実施形態における二重容器の分解斜視図である。
【図３】（ａ），（ｂ）はそれぞれ、同実施形態におけるレフィル容器の斜視図およびそのＡ−Ａ断面図である。
【符号の説明】
【００３６】
１００　二重容器
１１０　レフィル容器（薄肉容器＝中容器）
１１１　口部
１１２ａ　肩部
１１２ｂ　胴部
１２０　エアレスポンプ
１３０　外装容器
１３１　口部
１４０　カバー（キャップ）
Ｓ　シート材
Ｓe　シート材の端縁
Ｓf　シート材の外側面
【図１】
2004106939.tif 000003
【図２】
2004106939.tif 000004
【図３】
2004106939.tif 000005